(57)【要約】      （修正有）【課題】１つの排水管で機外に排水できる排水処理手段を実現した洗濯乾燥機を提供すること。【解決手段】水位検知手段７１が高水位を検知した場合には排水ポンプ６８を動作させ、水位検知手段７１が低水位を検知した場合には排水ポンプ６８を停止させる制御を行う制御手段７２を有することにより、適切なタイミングで排水動作を行うこととなり、洗濯機と同様に１つの排水管で機外に排水できる排水処理手段を実現することができる。【選択図】図２
2005211394.tif 000002
【特許請求の範囲】
【請求項１】
同一槽内に入れた衣類に対して洗濯と乾燥を行い、乾燥時には、乾燥用空気から湿気を結露水として回収する除湿手段と、洗濯時の排水を流す洗濯排水路と乾燥時の結露水を流す結露排水路を一つの配水管につないで機外に排水する排水処理手段とを具備し、前記排水処理手段は、結露水をためる排水タンクと、前記排水タンク内の水を排出する排水ポンプと、前記排水タンク内の水位を検知する水位検知手段と、前記排水ポンプの動作を制御する制御手段を備え、前記制御手段は、前記水位検知手段が所定の水位を検知した場合に前記排水ポンプを動作させるようにした洗濯乾燥機。
【請求項２】
制御手段は、排水ポンプの動作時間を設定する動作時間設定手段を備え、水位検知手段が所定の水位を検知した場合に、前記排水ポンプを前記動作時間設定手段にて設定された時間動作させるようにした請求項１記載の洗濯乾燥機。
【請求項３】
制御手段は、動作時間設定手段にて設定された時間動作させた後、所定の水位を検知している場合は、排水ポンプの動作を継続するようにした請求項２記載の洗濯乾燥機。
【請求項４】
制御手段は、水位検知手段が所定の水位を検知して排水ポンプの動作を継続した場合、動作時間設定手段にて次回以降の動作時間を延長するようにした請求項３記載の洗濯乾燥機。
【請求項５】
制御手段は、動作時間設定手段にて設定された時間動作させた後、水位検知手段が所定の水位を検知せずに排水ポンプの動作を停止した場合、動作時間設定手段にて動作時間を短縮するようにした請求項２記載の洗濯乾燥機。
【請求項６】
制御手段は、排水ポンプの非動作時間を設定する非動作時間設定手段を備え、乾燥動作開始後非動作時間設定手段にて設定された時間が経過した場合に排水ポンプを動作させるようにした請求項１記載の洗濯乾燥機。
【請求項７】
制御手段は、動作時間設定手段にて設定された時間動作させた後、水位検知手段が所定の水位を検知し排水ポンプの動作を継続した場合、非動作時間設定手段にて非動作時間を短縮するようにした請求項６に記載の洗濯乾燥機。
【請求項８】
制御手段は、水位検知手段が所定の水位を検知せず排水ポンプの動作を停止した場合、非動作時間設定手段にて非動作時間を延長するようにして請求項６または７記載の洗濯乾燥機。
【請求項９】
制御手段は、排水ポンプの動作時間を計測する排水ポンプ動作時間計測手段を備え、排水ポンプ動作開始後所定の時間経過してもなお水位検知手段が所定の水位を検知している場合は、洗濯乾燥機の動作を停止するようにした請求項１〜８のいずれか１項に記載の洗濯乾燥機。
【請求項１０】
制御手段は、排水ポンプの動作時間を計測する排水ポンプ動作時間計測手段を備え、排水ポンプ動作開始後所定の時間経過してもなお水位検知手段が所定の水位を検知している場合は、洗濯乾燥機の動作を一時的に停止させ、排水ポンプの動作を継続して水位検知手段にて所定の水位を検知しなくなれば洗濯乾燥機の運転を再開するようにした請求項１〜９のいずれか１項に記載の洗濯乾燥機。
【請求項１１】
制御手段は、排水処理の異常を報知する報知手段を具備した請求項９または１０記載の洗濯乾燥機。
【発明の詳細な説明】
【技術分野】
【０００１】
本発明は、一般家庭で使用される洗濯と乾燥を同一槽で行う洗濯乾燥機に関するものである。
【背景技術】
【０００２】
従来、衣類を洗濯乾燥する機器としてはヒータを熱源にするものや、ヒートポンプ装置を熱源に用いたものがある（例えば、特許文献１参照）。以下、従来例を添付図面に基づいて説明する。
【０００３】
図１６は、前記文献に記載された従来の洗濯乾燥機の側断面図である。図１６において、洗濯乾燥機１は、ケーシング２をもち、同ケーシング２の中央に衣類６を出し入れするためのドア１２が取付けられており、内部には回転ドラム３が収納されている。同回転ドラム３の所定の部位には衣類６を回転ドラム３の回転とともに持ち上げ落下させるためのビータ５と、洗濯水７及び乾燥のための循環エア９が出入りするパンチング孔４が開口させてある。回転ドラム３のシャフト１１は図示されない駆動用モータから回転のための動力を受けるようになっている。
【０００４】
また、ケーシング２内の回転ドラム３の背面は、空気入口２４及び空気出口２３を除き隔壁２２によって仕切られ、循環エア９が通るダクト１０、及び１３が形成されている。前記隔壁２２の前面下部は洗濯槽１４を構成し、同洗濯槽１４の部分に回転ドラム３の下部が臨んでいる。
【０００５】
前記各エアダクト１０、１３にはコンプレッサ１９、凝縮器（コンデンサ）１８、ファン１７、膨脹弁２０、蒸発器（エバポレータ）１５等が内蔵されており、いわゆるヒートポンプサイクルが形成されている。また、コンデンサ１８の一部はケーシング外背面に延長され、放熱器１６を形成している。２１はドレン排水用配管、８は洗濯排水用配管である。
【０００６】
次に各工程と作用について説明する。洗濯、すすぎ工程は、ドア１２をあけて衣類６及び適量の洗剤を投入し、ドア１２を閉め、以下の工程を実行する。
【０００７】
水供給バルブ（図示せず）から洗濯槽１４に水位Ａの位置まで規定量の水７が供給される。回転ドラム３がプログラムされた回転数で連続または間欠的に回転し、洗浄が行なわれる。この間、衣類６はビータ５によって持ち上げられ落下する。洗濯終了後は洗濯槽１４の洗濯排水用配管８から機外に排水される。
【０００８】
続いて、すすぎ工程が同様の工程で実行される。すすぎ水も洗濯排水として洗濯排水用配管８から機外に排水される。
【０００９】
脱水工程は、回転ドラム３がプログラムされた回転数で回転し、衣類６中の水分７を脱水する。脱水された水は、洗濯排水として洗濯排水用配管８から機外に排水される。
【００１０】
乾燥工程は、コンプレッサ１９、ファン１７及び回転ドラム３が運転されて循環エア９がダクト１０、１３及び回転ドラム３の内部を循環する。
【００１１】
衣類６から蒸発した水蒸気は循環エア９と共に、空気出口２３、ダクト１０を通ってエバポレータ１５に接触し、冷却されて凝縮水（結露水）となって除湿される。除湿された循環エア９は、ファン１７によってコンデンサ１８に送られ、ここで加熱されて熱風となってダクト１３、空気入口２４を経て回転ドラム３内に流入し、再び衣類６から水分を蒸発させる。除湿された結露水はドレン排水用配管２１から機外に排水される。
【００１２】
この間、回転ドラム３は洗濯工程と同様にあらかじめ設定された回転数で連続又は間欠的に回転する。以上、洗濯から乾燥までを連続して行う工程について説明した。
【特許文献１】特公平６−７５６２８号公報
【発明の開示】
【発明が解決しようとする課題】
【００１３】
しかしながら、前記従来の構成では、ドレン排水用配管２１と洗濯排水用配管８が別個に排水を機外に導いている。洗濯機においては上記排水用配管に相当する排水ホースは１本であり、洗濯機の設置場所に洗濯乾燥機を設置する場合などは、従来と同様に１つの排水ホースで排水処理ができることが、設置作業や防水フロアーなどの設置部材や床下の配管設備の面で望ましい。
【００１４】
また、ドレン排水用配管２１と洗濯排水用配管８をそのまま機内で接続すると、洗濯中に洗濯槽１４に溜められる水の水位が高く、洗濯排水中に水圧によって洗濯排水用配管８からドレン排水用配管２１へ洗濯水やすすぎ水が流れ込み、配管だけでなく、除湿や加熱を行うエバポレータ１５やファン１７やコンデンサ１８などの各手段の設置位置が洗濯水の貯水水位よりも低い場合には、これら各手段が洗剤や漂白剤などが溶けた洗濯水に濡れ、絶縁不良や腐食といった不具合を発生させる恐れがあるという課題を有していた。また、これを防止するためには、洗濯排水用配管８に設ける排水弁以外に、ドレン排水用配管２１への逆流を防止するための逆止弁やドレン排水用配管２１用排水弁などによる逆流防止手段が別途必要となるという課題を有していた。
【００１５】
本発明は、上記従来の課題を解決するもので、洗濯水と乾燥時の結露水を１つの排水管で機外に排水できる排水処理手段を実現することを目的とするものである。
【課題を解決するための手段】
【００１６】
上記の目的を達成するために本発明は、洗濯時の排水を流す洗濯排水路と乾燥時の結露水を流す結露排水路を一つの配水管につないで機外に排水する排水処理手段とを具備し、前記排水処理手段は、結露水をためる排水タンクと、前記排水タンク内の水を排出する排水ポンプと、前記排水タンク内の水位を検知する水位検知手段と、前記排水ポンプの動作を制御する制御手段を備え、前記制御手段は、前記水位検知手段が所定の水位を検知した場合に前記排水ポンプを動作させるようにしたものである。
【００１７】
これにより、排水タンク内の水位を検知する水位検知手段により高水位を検知した場合に排水ポンプを動作させ、水位検知手段が低水位を検知した場合には排水ポンプを停止させることによって適切なタイミングで機外に排水できる排水処理手段を実現するものとなる。
【発明の効果】
【００１８】
本発明の洗濯乾燥機は、洗濯機と同様に１つの排水管で機外に排水できる排水処理手段を実現することができる。
【発明を実施するための最良の形態】
【００１９】
第１の発明は、同一槽内に入れた衣類に対して洗濯と乾燥を行い、乾燥時には、乾燥用空気から湿気を結露水として回収する除湿手段と、洗濯時の排水を流す洗濯排水路と乾燥時の結露水を流す結露排水路を一つの配水管につないで機外に排水する排水処理手段とを具備し、前記排水処理手段は、結露水をためる排水タンクと、前記排水タンク内の水を排出する排水ポンプと、前記排水タンク内の水位を検知する水位検知手段と、前記排水ポンプの動作を制御する制御手段を備え、前記制御手段は、前記水位検知手段が所定の水位を検知した場合に前記排水ポンプを動作させるようにしたことにより、適切なタイミングで排水動作を行うこととなり、１つの排水管で機外に排水できる排水処理手段を実現することができる。
【００２０】
第２の発明は、第１の発明の制御手段は、排水ポンプの動作時間を設定する動作時間設定手段を備え、水位検知手段が所定の水位を検知した場合に、前記排水ポンプを前記動作時間設定手段にて設定された時間動作させるようにしたことにより、適切なタイミングで排水動作を行うこととなり、１つの排水管で機外に排水できる排水処理手段を実現することができる。
【００２１】
第３の発明は、第２の発明の制御手段は、動作時間設定手段にて設定された時間動作させた後、所定の水位を検知している場合は、排水ポンプの動作を継続するようにしたことにより、適切なタイミングで排水動作を行うこととなり、１つの排水管で機外に排水できる排水処理手段を実現することができる。
【００２２】
第４の発明は、第２の発明の制御手段は、水位検知手段が所定の水位を検知して排水ポンプの動作を継続した場合、動作時間設定手段にて次回以降の動作時間を延長するようにしたことにより、適切なタイミングで排水動作を行うことができるとともに、除湿量の増加に対応して効率よく機外に排水できる排水処理手段を実現することができる。
【００２３】
第５の発明は、第２の発明の制御手段は、動作時間設定手段にて設定された時間動作させた後、水位検知手段が所定の水位を検知せずに排水ポンプの動作を停止した場合、動作時間設定手段にて動作時間を短縮するようにしたことにより、適切なタイミングで排水動作を行うことができるとともに、排水ポンプの不要な動作を少なくでき、除湿水を合理的に機外へ排水することができる。
【００２４】
第６の発明は、第１の発明の制御手段は、排水ポンプの非動作時間を設定する非動作時間設定手段を備え、乾燥動作開始後非動作時間設定手段にて設定された時間が経過した場合に排水ポンプを動作させるようにしたことにより、適切なタイミングで排水動作を行うことができるとともに、排水ポンプの不要な動作を少なくでき、除湿水を合理的に機外へ排水することができる。
【００２５】
第７の発明は、第６の発明の制御手段は、動作時間設定手段にて設定された時間動作させた後、水位検知手段が所定の水位を検知し排水ポンプの動作を継続した場合、非動作時間設定手段にて非動作時間を短縮するようにしたことにより、適切なタイミングで排水動作を行うこととなり、１つの排水管で機外に排水できる排水処理手段を実現することができる。
【００２６】
第８の発明は、第６または第７の発明の制御手段は、水位検知手段が所定の水位を検知せず排水ポンプの動作を停止した場合、非動作時間設定手段にて非動作時間を延長するようにしたことにより、適切なタイミングで排水動作を行うこととなり、１つの排水管で機外に排水できる排水処理手段を実現することができる。
【００２７】
第９の発明は、第１〜第８のいずれか１つの発明の制御手段は、排水ポンプの動作時間を計測する排水ポンプ動作時間計測手段を備え、排水ポンプ動作開始後所定の時間経過してもなお水位検知手段が所定の水位を検知している場合は、洗濯乾燥機の動作を停止するようにしたことにより、適切なタイミングで排水動作を行うこととなり、１つの排水管で機外に排水できる排水処理手段を実現することができる。
【００２８】
第１０の発明は、第１〜第９のいずれか１つの発明の制御手段は、排水ポンプの動作時間を計測する排水ポンプ動作時間計測手段を備え、排水ポンプ動作開始後所定の時間経過してもなお水位検知手段が所定の水位を検知している場合は、洗濯乾燥機の動作を一時的に停止させ、排水ポンプの動作を継続して水位検知手段にて所定の水位を検知しなくなれば洗濯乾燥機の運転を再開するようにしたことにより、適切なタイミングで排水動作を行うこととなり、１つの排水管で機外に排水できる排水処理手段を実現することができる。
【００２９】
第１１の発明は、第９または第１０の発明の制御手段は、排水処理の異常を報知する報知手段を具備したことにより、排水処理手段の異常を外部に報知することが可能となり、排水処理手段の異常を使用者に報知することができる。
【００３０】
以下、本発明の実施の形態について、図面を参照しながら説明する。なお、本実施の形態によって本発明が限定されるものではない。
【００３１】
（実施の形態１）
図１は本発明の第１の実施の形態における洗濯乾燥機を背面から見た斜視図、図２は側断面図である。図１において、本発明の洗濯乾燥機本体２５内には、洗濯槽２６があり、モータ２７が取り付けられている。洗濯槽２６は両側面のサスペンション２９と上方部のサスペンション３０によって支えられて本体２５に取り付けられている。
【００３２】
圧縮機３５は気化した冷媒を圧縮し、放熱器３６は圧縮後の高温高圧の冷媒の熱を放熱し、絞り手段３７は高圧の冷媒の圧力を減圧するための膨張弁、もしくは、キャピラリーチューブからなり、吸熱器３８では減圧されて低圧となった冷媒が周囲から熱を奪い、圧縮機３５、放熱器３６、絞り手段３７、吸熱器３８を順に接続して再び圧縮機３５に冷媒が循環するように管路３９で連結したヒートポンプ装置を具備している。
【００３３】
風路４０は、乾燥用空気を冷却する除湿手段としての前記吸熱器３８と乾燥用空気を加熱する加熱手段としての前記放熱器３６とを連結するように構成している。洗濯槽２６と風路４０は、フレキシブルホース４１、４２によって接続されている。風路４０には送風手段４３が設けられている。ダクト４４は洗濯槽２６の外壁に設けられている。矢印Ｂはダクト４４と風路４０内の乾燥用空気の流れを示している。
【００３４】
図２において、回転ドラム２８はモータ２７の軸に直結して洗濯槽２６内に取り付けられている。洗濯槽２６と回転ドラム２８の前面開口部に対応した位置には衣類３１を投入するためのドア３２が設けられている。本体２５と洗濯槽２６の間の隙間はベローズ３３とドアパッキング３４によって空気が本体２５内部や機外に漏れないように略密封されている。回転ドラム２８の側壁および底面部には洗濯水や乾燥用空気が出入りする孔４５と開口部４６が設けられている。開口部５６は洗濯槽２６内壁に設けられており、洗濯槽２６とダクト４４との風路をつないでいる。矢印Ｃは洗濯槽２６と回転ドラム２８内の乾燥用空気の流れを示している。
【００３５】
洗濯排水路４７は洗濯時の排水を流すものである。結露排水路４８は乾燥時の吸熱器３８で発生した結露水を流すもので、洗濯排水路４７と結露排水路４８は一つの排水管４９につながれている。排水管４９の先端５０は機外の大気中に開口している。洗濯排水路４７と結露排水路４８の合流部には１つの排水弁６０があり、洗濯排水路４７と結露排水路４８と排水管４９と排水弁６０によって排水処理手段を構成している。
【００３６】
除湿手段である吸熱器３８が構成上上方に配設できない場合、排水弁６０の設置位置よりも低い位置で結露水が溜まって、直接排水弁６０に結露水を排水できない。このため、排水処理手段は、結露水を溜める排水タンク６７と、排水タンク６７内の水をくみ上げる排水ポンプ６８とを具備し、前記排水ポンプ６８の吸水部６９が前記排水タンク６７の略底面部に位置して、排水ポンプ６８の吐出口７０を結露排水路４８に接続している。
【００３７】
水位検知手段７１は排水タンク６７内の排水の水位を検知するものであり、水位検知手段７１にて検知された水位があらかじめ定められた閾値よりも高ければ「高水位」という情報が、また、あらかじめ定められた閾値よりも低ければ「低水位」という情報が制御手段７２に伝達され、制御手段７２は伝達された水位の情報を基に排水ポンプ６８の動作を制御する。
【００３８】
図３は、排水弁６０近辺の排水処理手段の構成を示す断面図である。図３において、弁６１は水路を開閉するためのものであり、モータ６２は弁６１を回転させる。モータ６２によって弁６１をｄ側に閉じると洗濯排水路４７側が閉で結露排水路４８側が開となり、モータ６２によって弁６１を回転してｅ側に移動させると、洗濯排水路４７側が開で結露排水路４８側が閉となる。洗濯排水路４７側が開の時には結露排水路４８側が閉となることによって洗濯排水路４７から結露排水路４８への逆流を防止する逆流防止手段を構成する。
【００３９】
図４は制御手段７２による制御を示すフローチャートである。ステップＳＴ１において排水ポンプ６８が動作中であるかどうかを判断し、動作中でなければステップＳＴ２において水位検知手段７１から伝達された水位の情報が「高水位」であるかどうかを判断し、「高水位」であった場合はステップＳＴ３にて排水ポンプ６８を動作させる。ステップＳＴ２において水位の情報が「高水位」でなかった場合はステップＳＴ４にて排水ポンプ６８に停止状態を継続させる。ステップＳＴ１において排水ポンプ６８が動作中でなければステップＳＴ５において水位検知手段７１から伝達された水位の情報が「低水位」であるかどうかを判断し、「低水位」であった場合はステップＳＴ６にて排水ポンプ６８の動作を停止させる。ステップＳＴ５にて水位の情報が「低水位」で無かった場合はステップＳＴ４にて排水ポンプ６８の動作状態を継続させる。
【００４０】
以上のように構成された洗濯乾燥機について、以下、その動作、作用を説明する。洗濯、すすぎ、脱水までの洗濯工程では、水を溜める場合は、排水弁６０の弁６１の状態は図３のｄ側であり、洗濯排水路４７側が閉で結露排水路４８側が開とする。水供給バルブ（図示せず）から洗濯槽２６に水が供給され、図２の水位Ｄの位置まで溜められる。回転ドラム２６がプログラムされた回転数で連続または間欠的に回転し、洗浄やすすぎが行なわれる。この間、衣類３１は回転ドラム２６の回転によって持ち上げられ落下する。排水する場合は、排水弁６０の弁６１を図３のｅ側にする。洗濯排水路４７側が開で結露排水路４８側が閉となる。洗濯槽１４の水は、洗濯排水路４７と排水弁６０を通過して排水管４９から機外に排水される。
【００４１】
乾燥工程では、排水弁６０の弁６１を図３のｄ側にして洗濯排水路４７側が閉で結露排水路４８側が開として、圧縮機３５、送風手段４３及び回転ドラム２８が運転される。送風手段４３の運転によって、乾燥用空気が洗濯槽２６とダクト４４、フレキシブルホース４１、風路４０、フレキシブルホース４２の内部を循環する。衣類３１は、あらかじめ設定された回転数で連続又は間欠的に行われる回転ドラム２８の回転によって撹拌される。
【００４２】
圧縮機３５の運転によって、配管３９内を冷媒が循環して、放熱器３６で高温高圧の冷媒の熱を放熱して循環する乾燥用空気を加熱する。加熱された乾燥用空気は図２の矢印Ｃのように、洗濯槽２６内に送り込まれ、回転ドラム２８底面部の開口部４６を通過して衣類３１に当たり、衣類３１から水分を奪って、多湿の空気となって回転ドラム２８の側壁の孔４５を通過して、洗濯槽２６の開口部５６を通過してダクト４４へと送られる。ダクト４４を通過した乾燥用空気は、矢印Ｂに示すように、フレキシブルホース４１を通過して風路４０に設けた除湿手段としての吸熱器３８で、冷却除湿される。
【００４３】
除湿された乾燥用空気は再び送風手段によって放熱器３６に送られて加熱される。吸熱器３８で発生した結露水は、排水タンク６７へ溜まる。排水タンク６７内へ溜まった排水の水位は水位検知手段７１により検知され、検知した値に従って制御手段７２により排水ポンプ６８の動作を制御し、結露排水路４８と排水弁６０を通過して排水管４９から結露水を機外に排出する。
【００４４】
以上のように、本実施の形態においては、水位検知手段７１が高水位を検知した場合には排水ポンプ６８を動作させ、水位検知手段７１が低水位を検知した場合には排水ポンプ６８を停止させる制御を行う制御手段７２を有することにより、適切なタイミングで排水動作を行うこととなり、洗濯機と同様に１つの排水管で機外に排水できる排水処理手段を実現することができる。
【００４５】
なお、本実施の形態では熱源としてヒートポンプ装置を用いた例を示しているが、その他の熱源、例えばヒータや誘導加熱装置を用いて実施することも可能である。
【００４６】
また、本実施の形態で示す放熱器３６や吸熱器３８の熱交換器は、プレートフィン付きチューブ型熱交換器を示しているが、特にその形態を限定するものではない。
【００４７】
また、水位検知手段にあらかじめ定められた閾値は１つでも複数でもよく、１つの場合はその閾値と水位を比較することにより「高水位」「低水位」を判断し、複数の場合はいずれか一つの閾値を「高水位閾値」と定め、「高水位閾値」より水位が高ければ「高水位」と判断し、「高水位閾値」よりも低いいずれか一つの閾値を「低水位閾値」と定め、「低水位閾値」より水位が低ければ「低水位」と判断するものとする。
【００４８】
（実施の形態２）
図５は本発明の第２の実施の形態における洗濯乾燥機の側断面図、図６は本発明の第２の実施の形態における制御手段による制御を示すフローチャートである。なお、前記実施の形態と同じ構成のものは同一符号を付して詳細な説明は省略する。
【００４９】
図５において、動作時間設定手段７３は制御手段７２による排水ポンプ６８の動作時間を設定する。図６において、ステップＳＴ７において動作時間が経過したかどうかを判断し、動作時間が経過していた場合はステップＳＴ６にて排水ポンプ６８の動作を停止させる。ステップＳＴ７にて動作時間が経過していなかった場合はステップＳＴ４にて排水ポンプ６８の動作状態を継続させる。
【００５０】
以上のように、本実施の形態においては、水位検知手段７１が高水位を検知した場合には排水ポンプ６８を動作させ、動作時間設定手段７３にて設定された時間動作させた後に排水ポンプ６８を停止させる制御を行うことにより、適切なタイミングで排水動作を行うこととなり、洗濯機と同様に１つの排水管で機外に排水できる排水処理手段を実現することができる。
【００５１】
（実施の形態３）
図７は本発明の第３の実施の形態における制御手段による制御を示すフローチャートである。なお、前記実施の形態と同じ構成のものは同一符号を付して詳細な説明は省略する。
【００５２】
図７において、ステップＳＴ７において動作時間が経過したかどうかを判断し、動作時間が経過していた場合はステップＳＴ８にて水位検知手段７１が高水位を検知しているか判断し、高水位を検知している場合には排水ポンプ６８の動作状態を継続させる。水位検知手段７１が高水位を検知していなければ排水ポンプ６８の動作を停止させる。ステップＳＴ７にて動作時間が経過していなかった場合はステップＳＴ４にて排水ポンプ６８の動作状態を継続させる。
【００５３】
以上のように、本実施の形態においては、水位検知手段７１が高水位を検知した場合には排水ポンプ６８を動作させ、動作時間設定手段７３にて設定された時間動作させた後に、なお水位検知手段７１が高水位を検知しているか判断し、高水位を検知している場合には排水ポンプ６８の動作を継続し、検知していない場合は動作を停止させる制御を繰り返し行うことにより、適切なタイミングで排水動作を行うこととなり、洗濯機と同様に１つの排水管で機外に排水できる排水処理手段を実現することができる。
【００５４】
（実施の形態４）
図８は本発明の第４の実施の形態における制御手段による制御を示すフローチャートである。なお、前記実施の形態と同じ構成のものは同一符号を付して詳細な説明は省略する。
【００５５】
図８において、ステップＳＴ８にて水位検知手段７１が高水位を検知しているか判断し、高水位を検知している場合にはステップＳＴ９において動作時間設定手段７３にて次回動作時間を延長して再設定し、排水ポンプ６８の動作状態を継続させる。水位検知手段７１が高水位を検知していなければ排水ポンプ６８の動作を停止させる。ステップＳＴ７にて動作時間が経過していなかった場合はステップＳＴ４にて排水ポンプ６８の動作状態を継続させる。
【００５６】
以上のように、本実施の形態においては、動作時間設定手段７３にて設定された時間排水ポンプ６８を動作させた後に行う判断において、水位検知手段７１が高水位を検知し排水ポンプ６８の動作を継続した場合、動作時間設定手段７３にて次回以降の動作時間を延長して再設定する制御を行うことにより、適切なタイミングで排水動作を行うこととなり、洗濯機と同様に１つの排水管で機外に排水できる排水処理手段を実現することができる。
【００５７】
（実施の形態５）
図９は本発明の第５の実施の形態における制御手段による制御を示すフローチャートである。なお、前記実施の形態と同じ構成のものは同一符号を付して詳細な説明は省略する。
【００５８】
図９において、ステップＳＴ８にて水位検知手段７１が高水位を検知しているか判断し、高水位を検知している場合にはステップＳＴ９において動作時間設定手段７３にて次回動作時間を延長して再設定し、排水ポンプ６８の動作状態を継続させる。水位検知手段７１が高水位を検知していなければステップＳＴ１０において動作時間設定手段７３にて次回動作時間を短縮して再設定し、排水ポンプ６８の動作を停止させる。ステップＳＴ７にて動作時間が経過していなかった場合はステップＳＴ４にて排水ポンプ６８の動作状態を継続させる。
【００５９】
以上のように、本実施の形態においては、動作時間設定手段７３にて設定された時間排水ポンプ６８を動作させた後に行う判断において、水位検知手段７１が高水位を検知せず排水ポンプ６８の動作を停止した場合、動作時間設定手段７３にて次回以降の動作時間を短縮して再設定する制御を行うことにより、適切なタイミングで排水動作を行うこととなり、洗濯機と同様に１つの排水管で機外に排水できる排水処理手段を実現することができる。
【００６０】
（実施の形態６）
図１０は本発明の第６の実施の形態における洗濯乾燥機の側断面図、図１１は本発明の第６の実施の形態における制御手段による制御を示すフローチャートである。なお、前記実施の形態と同じ構成のものは同一符号を付して詳細な説明は省略する。
【００６１】
図１０において、非動作時間設定手段７４は制御手段７２による排水ポンプ６８の非動作時間を設定する。図１１において、ステップＳＴ１において排水ポンプ６８が動作中であるかどうかを判断し、動作中でなければステップＳＴ２において水位検知手段７１から伝達された水位の情報が「高水位」であるかどうかを判断し、「高水位」であった場合はステップＳＴ３にて排水ポンプ６８を動作させる。ステップＳＴ２において水位の情報が「高水位」でなかった場合はステップＳＴ１１にて非動作時間が経過しているかどうか判断し、経過していた場合はステップＳＴ３にて排水ポンプを動作させ、経過していなかった場合はステップＳＴ４にて排水ポンプ６８の停止状態を継続させる。
【００６２】
以上のように、本実施の形態においては、水位検知手段７１が高水位を検知した場合または乾燥動作開始後非動作時間設定手段にて設定された時間が経過した場合には排水ポンプ６８を動作させ、動作時間設定手段７３にて設定された時間動作させた後に排水ポンプ６８を停止させる制御を行うことにより、適切なタイミングで排水動作を行うこととなり、洗濯機と同様に１つの排水管で機外に排水できる排水処理手段を実現することができる。
【００６３】
なお、本実施の形態では動作時間設定手段７３と非動作時間設定手段７４を別に配置するとしたが、一つの時間設定手段を切り替えて使用することにより同等の効果を実現することも可能である。
【００６４】
（実施の形態７）
図１２は本発明の第７の実施の形態における制御手段による制御を示すフローチャートである。なお、前記実施の形態と同じ構成のものは同一符号を付して詳細な説明は省略する。
【００６５】
図１２において、ステップＳＴ８にて水位検知手段７１が高水位を検知しているか判断し、高水位を検知している場合にはステップＳＴ１２において非動作時間設定手段７４にて次回非動作時間を短縮して再設定し、排水ポンプ６８の動作状態を継続させる。水位検知手段７１が高水位を検知していなければ排水ポンプ６８の動作を停止させる。ステップＳＴ７にて動作時間が経過していなかった場合はステップＳＴ４にて排水ポンプ６８の動作状態を継続させる。
【００６６】
以上のように、本実施の形態においては、動作時間設定手段７３にて設定された時間排水ポンプ６８を動作させた後に行う判断において、水位検知手段７１が高水位を検知し排水ポンプ６８の動作を継続した場合、非動作時間設定手段７４にて次回以降の非動作時間を短縮して再設定する制御を行うことにより、適切なタイミングで排水動作を行うこととなり、洗濯機と同様に１つの排水管で機外に排水できる排水処理手段を実現することができる。
【００６７】
（実施の形態８）
図１３は本発明の第８の実施の形態における制御手段による制御を示すフローチャートである。なお、前記実施の形態と同じ構成のものは同一符号を付して詳細な説明は省略する。
【００６８】
図１３において、ステップＳＴ８にて水位検知手段７１が高水位を検知しているか判断し、高水位を検知している場合にはステップＳＴ９において動作時間設定手段７３にて次回動作時間を延長して再設定し、排水ポンプ６８の動作状態を継続させる。水位検知手段７１が高水位を検知していなければステップＳＴ１０において非動作時間設定手段７４にて次回非動作時間を延長して再設定し、排水ポンプ６８の動作を停止させる。ステップＳＴ７にて動作時間が経過していなかった場合はステップＳＴ４にて排水ポンプ６８の動作状態を継続させる。
【００６９】
以上のように、本実施の形態においては、動作時間設定手段７３にて設定された時間排水ポンプ６８を動作させた後に行う判断において、水位検知手段７１が高水位を検知せず排水ポンプ６８の動作を停止した場合、非動作時間設定手段７４にて次回以降の動作時間を延長して再設定する制御を行うことにより、適切なタイミングで排水動作を行うこととなり、洗濯機と同様に１つの排水管で機外に排水できる排水処理手段を実現することができる。
【００７０】
（実施の形態９）
図１４は本発明の第９の実施の形態における洗濯乾燥機の側断面図である。なお、前記実施の形態と同じ構成のものは同一符号を付して詳細な説明は省略する。
【００７１】
図１４において、制御手段７２は排水ポンプ６８や水位検知手段７４に加えてモータ２７や送風手段４３と接続され、少なくともそれぞれの動作を停止させることが可能である。排水ポンプ動作時間計測手段７５は排水ポンプ６８の動作時間を計測する。
【００７２】
制御手段７２により排水ポンプ６８の動作が開始されると、排水ポンプ動作時間計測手段７５は排水ポンプ６８の動作時間を計測する。排水ポンプ６８動作開始後所定の時間経過してもなお水位検知手段７２が高水位を検知している場合には、制御手段７２は排水ポンプ６８の故障や水位検知手段７２の異常等の可能性があると判断し、排水ポンプ６８やモータ２７、送風手段４３を停止する。
【００７３】
また、制御手段７２は接続された全ての機器や手段に対して停止または動作開始をさせることが可能であるとすると、排水ポンプ６８が動作開始後所定の時間経過してもなお動作を継続している場合には、制御手段７２は排水ポンプ６８の故障や水位検知手段７２の異常等の可能性があると判断し、モータ２７や送風手段４３を一時的に停止し、排水ポンプ６８の動作のみを継続し、その後水位検知手段６８にて高水位を検知しなくなればモータ２７や送風手段４３の動作を再開する。
【００７４】
以上のように、本実施の形態においては、制御手段７２は排水ポンプ６８の動作時間を計測する排水ポンプ動作時間計測手段７５を備え、排水ポンプ６８が動作開始後所定の時間経過してもなお動作を継続している場合には排水処理手段の一部または全部に異常があると判断し洗濯乾燥機の動作を停止させる制御を行うことにより、適切なタイミングで排水動作を行うこととなり、洗濯機と同様に１つの排水管で機外に排水できる排水処理手段を実現することができる。
【００７５】
また、制御手段７２は排水ポンプ６８の動作時間を計測する排水ポンプ動作時間計測手段７５を備え、排水ポンプ６８動作開始後所定の時間経過してもなお水位検知手段７２が高水位を検知している場合には排水処理手段の一部または全部に異常があると判断し洗濯乾燥機の動作を一時的に停止させ、排水ポンプ６８の動作を継続して水位検知手段７２にて高水位を検知しなくなれば洗濯乾燥機の運転を再開する制御を行うことにより、適切なタイミングで排水動作を行うこととなり、洗濯機と同様に１つの排水管で機外に排水できる排水処理手段を実現することができる。
【００７６】
なお、本実施の形態では制御手段７２によりモータ２７や送風手段４３を直接停止または一時停止することとしたが、制御手段７２を洗濯乾燥機全体を制御する手段と接続し、洗濯乾燥機停止要求信号や請託乾燥機動作再開要求信号を伝達することにより同等の効果を実現することも可能である。
【００７７】
（実施の形態１０）
図１５は本発明の第１０の実施の形態における洗濯乾燥機の側断面図である。なお、前記実施の形態と同じ構成のものは同一符号を付して詳細な説明は省略する。
【００７８】
図１５において、報知手段７６は制御手段７２からの異常報知指令受けると異常報知音を発して使用者に異常を報知する。制御手段７２により排水ポンプ６８の動作が開始されると、排水ポンプ動作時間計測手段７５は排水ポンプ６８の動作時間を計測する。排水ポンプ６８動作開始後所定の時間経過してもなお水位検知手段７２が高水位を検知している場合には、制御手段７２は排水ポンプ６８の故障や水位検知手段７２の異常等の可能性があると判断し、報知手段７５へ異常報知指令を送信する。報知手段７６は制御手段７２からの報知指令を受信すると異常報知音を発し、使用者に異常を報知する。
【００７９】
以上のように、本実施の形態においては、制御手段７２が排水処理手段の一部または全部に異常があると判断した場合、使用者に排水処理異常を報知する報知手段７６を具備したことにより、排水処理手段の異常を外部に報知することが可能となり、排水処理手段の異常を使用者に報知することが可能な洗濯乾燥機を提供することができる。
【００８０】
なお、本実施の形態では報知手段は異常報知音を発するとしたが、あらかじめ登録された音声メッセージを再生することやランプや画面表示を用いて視覚的に報知することも可能であり、またこれらを複数組み合わせて報知することとしても同様の効果が実現できる。
【産業上の利用可能性】
【００８１】
以上のように、本発明にかかる洗濯乾燥機は、洗濯機と同様に１つの排水管で機外に排水できる排水処理手段を実現することが可能となるので、一般家庭で使用される洗濯と乾燥を同一槽で行う洗濯乾燥機の用途に適用できる。
【図面の簡単な説明】
【００８２】
【図１】本発明の第１の実施の形態における洗濯乾燥機を背面から見た斜視図
【図２】同洗濯乾燥機の側断面図
【図３】同洗濯乾燥機の排水弁近辺の排水処理手段の構成を示す断面図
【図４】同洗濯乾燥機の制御手段のフローチャート
【図５】本発明の第２の実施の形態における洗濯乾燥機の側断面図
【図６】同洗濯乾燥機の制御手段のフローチャート
【図７】本発明の第３の実施の形態における制御手段のフローチャート
【図８】本発明の第４の実施の形態における制御手段のフローチャート
【図９】本発明の第５の実施の形態における制御手段のフローチャート
【図１０】本発明の第６の実施の形態における洗濯乾燥機の側断面図
【図１１】同洗濯乾燥機の制御手段のフローチャート
【図１２】本発明の第７の実施の形態における制御手段のフローチャート
【図１３】本発明の第８の実施の形態における制御手段のフローチャート
【図１４】本発明の第９の実施の形態における洗濯乾燥機の側断面図
【図１５】本発明の第１０の実施の形態における洗濯乾燥機の側断面図
【図１６】従来の洗濯乾燥機の側断面図
【符号の説明】
【００８３】
４７  洗濯排水路
４８  結露排水路
４９  排水管
６７  排水タンク
６８  排水ポンプ
７１  水位検知手段
７２  制御手段
７３  動作時間設定手段
７４  非動作時間設定手段
７５  排水ポンプ動作時間計測手段
７６  報知手段
【図１】
2005211394.tif 000003
【図２】
2005211394.tif 000004
【図３】
2005211394.tif 000005
【図４】
2005211394.tif 000006
【図５】
2005211394.tif 000007
【図６】
2005211394.tif 000008
【図７】
2005211394.tif 000009
【図８】
2005211394.tif 000010
【図９】
2005211394.tif 000011
【図１０】
2005211394.tif 000012
【図１１】
2005211394.tif 000013
【図１２】
2005211394.tif 000014
【図１３】
2005211394.tif 000015
【図１４】
2005211394.tif 000016
【図１５】
2005211394.tif 000017
【図１６】
2005211394.tif 000018